(57)【要約】      （修正有）【課題】一度使用したものであることが、目視で簡単に判別できるバゲッジやビニル袋等に用いる封緘用シールを提供する。【解決手段】封緘用シール１０は、テープ状である１枚目基材１１の一方側面端部に、強接着剤層２１が端部寄り側に塗工され、強接着剤層２１に隣接する平面上であって端部から遠い側に疑似接着剤層２２が並列しで塗工されており、かつ疑似接着剤層塗工部の１枚目基材に開口となるハーフカット部６が形成されており、強接着剤層２１と疑似接着剤層２２の塗工面に２枚目基材１２が積層され、さらに、２枚目基材１２面に、粘着剤層２３と剥離紙１３が、剥離紙１３が外面になるように積層されている。【選択図】図１
2015011119.tif 000002
【特許請求の範囲】
【請求項１】
テープ状である１枚目基材の一方側面端部に、強接着剤層が端部側寄りに塗工され、該強接着剤層に隣接する平面上であって端部から遠い側に疑似接着剤層が並列して塗工され、かつ該疑似接着剤層塗工部の１枚目基材に開口となるハーフカット部が形成されており、該強接着剤層と疑似接着剤層の塗工面に２枚目基材が積層され、さらに、該２枚目基材面に、粘着剤層と剥離紙が、剥離紙が外面になるように積層されていることを特徴とする封緘用シール。
【請求項２】
１枚目基材の前記端部側に、該１枚目基材と強接着剤層、および２枚目基材と粘着剤層までを切断するハーフカット線が形成されていることを特徴とする請求項１記載の封緘用シール。
【請求項３】
２枚目基材が薄層のプラスチック基材であることを特徴とする請求項１または請求項２記載の封緘用シール。
【請求項４】
前記ハーフカット部の少なくとも一部に着色部が形成されていることを特徴と請求項１または請求項２記載の封緘用シール。
【発明の詳細な説明】
【技術分野】
【０００１】
本発明は、封緘用シールに関する。詳しくは、バッゲジやビニル袋等の一方が開口した袋状のものに荷物を入れた後、開口部の下部分を括って、当該部分を結束する用途の封緘用シールであって、封緘後に該シールを取り外そうとした場合には、その痕跡が残って外観から判るようにした封緘用シールに関する。
【背景技術】
【０００２】
近年、段ボールや緩衝材を節約するエコ物流の観点から簡易梱包が行われるようになってきている。例えば、簡易な梱包手段として、ビニル袋等に数点の小荷物を詰めて、開口直下部分を括って縛り、この部分を封緘して輸送する方法、あるいは同様に封緘したビニル袋等を、宛先毎に折り畳み式コンテナ（オリコン）に入れて配達することも考えられている。後者の場合、オリコン自体は配送業者が回収し反復使用するので、エコ物流の目的を果たすものである。
このような梱包方法は、旅客が航空機を利用する場合の手荷物の扱いや地方からの産物・土産品の配送に使われることも多い。しかし、簡易梱包された荷物といっても私物であるから、中身を他人が見たり、利用または窃取されることは防止しなければならない。
かかる荷物用に空港等では、従来からバッゲジやビニル袋等に封緘用シールが使用されている。しかし、これらの従来品は、再貼付防止のみを目的としているので、開封の試みがあったか否かは容易には判定し難い問題があった。
そこで本願は、封緘用シールが貼り替えられているか否か、あるいは封緘用シールが新品であるか否かを目視で容易に判定可能にすることを課題とするものである。
【０００３】
本願に関連する先行技術文献に以下の文献がある。特許文献１は、段ボール箱を組み立てる際に生じる閉止ラインに沿って貼り付けする目的のテープであって、裏面全長にわたって糊層を有する部分があり、本願の構成と相違している。
【０００４】
特許文献２は、封書内などの文書が改ざんされることを防止する目的の封緘用シールであって、パターン状の剥離剤層と着色層を有することを特徴とするが、被貼着面全面に粘着剤層を有する点において本願の構成と相違している。
【先行技術文献】
【特許文献】
【０００５】
【特許文献１】特開２０１２−    ３１４０号公報
【特許文献２】特開２００７−２０６４４７号公報
【発明の概要】
【発明が解決しようとする課題】
【０００６】
一方が開口したバッゲジやビニル袋、布袋等に内容物を納めた後、該袋の開口に近い部分を折り畳みして結束し、その結束部分を開口できないように封鎖する封緘用シールにおいて、封緘後、該封緘用シールを取り外そうとした場合には、その痕跡が残り容易に判定できるようにする。あるいは、封緘用シールの疑似接着部が損傷していないことにより、未使用状態の新品であることの証明をする目的としても使用できる。
【課題を解決するための手段】
【０００７】
本発明の要旨は、テープ状である１枚目基材の一方側面端部に、強接着剤層が端部側寄りに塗工され、該強接着剤層に隣接する平面上であって端部から遠い側に疑似接着剤層が並列して塗工され、かつ該疑似接着剤層塗工部の１枚目基材に開口となるハーフカット部が形成されており、該強接着剤層と疑似接着剤層の塗工面に２枚目基材が積層され、さらに、該２枚目基材面に、粘着剤層と剥離紙が、剥離紙が外面になるように積層されていることを特徴とする封緘用シール、にある。
上記において、１枚目基材の前記端部側に、該１枚目基材と強接着剤層、および２枚目基材と粘着剤層までを切断するハーフカット線が形成されている、ようにしても良く、２枚目基材が薄層のプラスチック基材である、ようにしても良い。また、前記ハーフカット部の少なくとも一部に着色部が形成されていても良い。
【発明の効果】
【０００８】
荷物等に巻き付けた封緘用シールを剥がそうとすると疑似接着部分が剥離し、開口であるカット部に充填された疑似接着剤も除去されるため、開封しようとした履歴が明らかになる。逆に、疑似接着部分が剥離または損傷していなければ、封緘用シールが未使用品であることを証明できる。
封緘用シールを無理に剥がそうとしない場合であっても、通常のように、接着剤面にその接着剤塗布面と同一面側の１枚目基材を接着して結束すると、結束部の膨らむ力により、結束部の内側にある疑似接着剤層側がより早く破壊力を受けて損傷する。これにより、封緘用シールの使用事実が確実に証明できる。
【図面の簡単な説明】
【０００９】
【図１】本発明の封緘用シールを示す平面図、断面図、および背面図である。
【図２】強接着剤層と疑似接着剤層の位置関係を示す図である。
【図３】封緘用シールの使用方法を示す図である。
【図４】封緘用シールを荷物に着用した状態を示す側面図である。
【発明を実施するための形態】
【００１０】
以下、本発明の封緘用シールを、図面を参照して説明する。
図１は、本発明の封緘用シールを示す平面図、断面図、および背面図であって、図１（Ａ）は、接着部２面側から見た平面図、図１（Ｂ）は、図１（Ａ）のＡ−Ａ線断面図、図１（Ｃ）は、背面図である。
図１（Ａ）の平面図のように、封緘用シール１０は、テープ状（ほぼ均一幅であって、幅Ｈに対して長さＬが５〜６倍以上長い）の１枚目基材１１の一方側端部に、接着部２が形成されている。接着部２の表面は、未使用状態では剥離紙１３で覆われている。
通常、幅Ｈは、５〜１００ｍｍ、長さＬは、使用対象や用途によって異なるが５〜５０ｃｍ程度となる。
【００１１】
図１（Ｂ）の断面図のように、１枚目基材１１の表面に接着部２が形成されている。
接着部２は、１枚目基材１１に塗工される強接着剤層２１と疑似接着剤層２２と、それら強接着剤層２１と疑似接着剤層２２の塗工面上に積層される２枚目基材１２と、さらにその上に積層される粘着剤層２３と剥離紙１３（剥離紙が外面になるように）とからなっている。
２枚目基材１２は、強接着剤層２１と疑似接着剤層２２部分を覆う幅と長さにする。２枚目基材１２を設けるのは疑似接着剤層２２を保持するためであり、１枚目基材１１に直接粘着剤付き剥離紙を貼り付けては、通常の接着構造と違いがなくなるからである。剥離紙１３は粘着剤層２３を保護する用紙である。
図１では、１枚目基材１１の前記端部側寄りに、ハーフカット線３が形成されている。ただし、このハーフカット線３は必須の構成ではない。ハーフカット線３は、１枚目基材から粘着剤層２３迄を切断するようにされ、剥離紙１３は切断していない。このハーフカット線３があることにより、該端部側のハーフカットした部分を摘んで剥離紙を一緒にして剥がせば、剥離用の摘み部分が何もない場合に比較して剥離が容易になる。
【００１２】
図１（Ｃ）の背面図のように、この封緘用シール１０は、疑似接着剤層塗工部の１枚目基材に、開口となるハーフカット部６が形成されている特徴がある。図ではハーフカット部６が、三角形状に２箇所形成されているが、形状は、円形等のその他の形状であっても良い。大きさや数も疑似接着剤層塗工部に納まる範囲内で変更可能である。ハーフカット部６は疑似接着剤層２２までを切断するようにする。
ハーフカット部６の表面（１枚目基材の疑似接着剤層２２とは反対側面）には、印刷による着色部７を設けておいても良い。着色部７はハーフカット部６の形状と同一でも良く、やや広い面積で印刷しても良い。着色部７を形成することで疑似接着剤層２２が損傷した場合にはより識別が容易になる。
このようなハーフカット部６を１枚目基材１１に予め形成することで、疑似接着剤層２２が剥離した場合は、ハーフカット部６も疑似接着剤層と共に抜けて取られるので、疑似接着剤層２２の損傷を視覚でより顕著に判別することができる。
【００１３】
図２は、強接着剤層と疑似接着剤層の位置関係を示す図である。
強接着剤層２１と疑似接着剤層２２は、１枚目基材１１面上に並列して塗工されるが、強接着剤層２１が１枚目基材の端部側寄りであって端部から遠い側に疑似接着剤層２２があるようにする。結束したバゲッジやビニル袋等の膨張圧力や強制剥離力を受け易い側に疑似接着剤層２２を設ける必要があるからである。疑似接着剤層２２は強接着剤層２１よりも小さい面積であってよい。疑似接着剤層２２自体は本来的にシール基材間を接着する目的ではなく、使用の有無を判断する目的だからである。
強接着剤層２１と疑似接着剤層２２を、多少の間隔を空けて塗工しても構わないが、疑似接着剤層２２に剥離層を設けるだけで、双方に共通の接着材料を使用できる場合もあり、あえて間隔を空ける必要はない。
【００１４】
強接着剤層２１は、１枚目基材と２枚目基材間を強力に接着する材料であり、両基材間を剥離しようとすれば、いずれかの材料を破壊する程度に強固に接着するものであって良い。一方、疑似接着剤層２２は、両基材間を疑似的に接着するもので、両基材間に剥離力を加えれば容易に剥離する状態にある接着状態を実現する層をいう。通常、剥離後の表面に粘着物質を残さない状態にされている。
このような疑似接着構造は、酢酸ビニル系、エチレン−酢酸ビニル共重合体、塩化ビニル−酢酸ビニル共重合体、ウレタン系、アクリル系、セルロース樹脂などの熱可塑性樹脂及びこれらの混合物からなる接着剤を使用することが好ましい。
１種類の接着剤で塗布量を調整するか、スポット状塗布を行うか、または剥離剤や目止め剤を併用して接着強度を調整できるからである。
【００１５】
図３は、封緘用シールの使用方法を示す図である。
まず、図３（Ａ）のように、封緘用シール１０の剥離紙１３を剥離して粘着剤層２３を露出させる。次に、封緘用シール１０の１枚目基材１１の内面（接着剤塗布面）間同士が接着するように折り曲げる（Ｂ）。最後に、図３（Ｃ）のように、ビニルやポリエチレン袋に搬送物を詰めて開口下部を括った袋の首部分４ｎを、封緘用シール１０を使用して結束する。なお、図３（Ｃ）は、袋の首部分４ｎを上から見た断面図である。
【００１６】
図４は、封緘用シールを荷物に着用した状態を示す側面図であって、ビニルやポリエチレン袋の首部分４ｎに封緘用シール１０を付した状態である。袋４の内部には、例えば乗客の手荷物等が入っている。このような結束状態では、折り畳みした首部分の袋自体が元の状態に戻ろうとして膨張するので、図３（Ｃ）において、首部分に近い粘着剤層２３や疑似接着剤層２２に剥離力が作用する。その結果、接着力の弱い疑似接着剤層２２がまず破壊されてその痕跡が残り、カット部６内の疑似接着剤も抜けるので、視覚での判別が容易となる。封緘用シール１０は、首部分に１箇所付するだけではなく、図４のように２箇所付しても構わない。図示してないが、封緘用シールだけでは強固に首部分を結束できない場合は、布製や紙製紐を併用して結束しても良い。
【００１７】
封緘用シールを付したビニル袋等は、冒頭に記載したようにオリコンを使用した配送に使用することができる。この場合、オリコンにバーコード等による管理番号を付けておき、当該管理番号をハンディーリーダライタで読み取ると共に、配送先、依頼人等のデータを入力して本部の管理装置に送信しておく。リーダライタとラベルプリンタにより、バーコードを小サイズのラベル（少なくとも管理番号が印字されている）として出力し、封緘用シールの空きスペースに貼付する。これにより、封緘用シールとオリコンの一体関係を何時でも確認できるので誤配送を失くすことができる。配送先については、荷物自体に記載されなくとも本部の管理装置から取得できるので配送先を間違えることもない。
オリコン側部にポケットを設けて、このポケットに配達伝票とバーコードラベルを入れておいても良い。
【００１８】
〈材質に関する実施形態〉
（１）１枚目基材には、一般的には耐水性や耐油性のあるポリエチレンテレフタレート（ＰＥＴ）やポリオレフィン等のプラスチック材料が使用されるが、強靭な紙類、例えばクラフト紙や耐水紙、コート紙、合成紙、樹脂フィルムによりラミネートされた紙、擬革紙等を使用でき、不織布であっても良い。
（２）２枚目基材は、接着剤層２１と粘着剤層２３の間に挿入される材料であり、特別な材料強度は要求されない。接着剤の溶剤に溶解しない特性が必要となる。薄層（６〜２０μｍ程度）のＰＥＴやポリエチレン、ポリプロピレン、あるいはアルミニウム箔等を使用することができる。
（３）剥離層形成剤
剥離層の形成には、オフセット印刷用の紫外線硬化型（ＵＶ型）インキにシリコーンオイルを添加したものや、シリコーンアクリレートを添加したものを使用する。通常の熱硬化型剥離インキを使用することもできる。
（４）粘着剤と剥離紙
粘着作用をする通常の粘着剤を粘着剤層２３に広く使用できる。剥離紙には紫外線硬化性樹脂やシリコン等により剥離処理した材料を使用できる。
【実施例】
【００１９】
（実施例１）
幅２２０ｍｍ、厚み５０μｍの巻取り状の２軸延伸ＰＥＴフィルムを１枚目基材１１として使用した。
１枚目基材１１の左端部側に、最端部から１２ｍｍ離れた位置から、幅４０ｍｍの強接着剤層２１と幅１０ｍｍの疑似接着剤層２２を並列して連続的に塗布した。
その際、幅５０ｍｍ、厚み１０μｍである巻取り状の２軸延伸ポリプロピレンフィルムを２枚目基材１２として使用し、裏面にゴム系粘着剤層２３付きの剥離紙（幅５０ｍｍ）を有する基材を用い、両基材間の位置を合わせて連続的に貼り合わせした。
強接着剤層２１と疑似接着剤層２２は、アクリル系の同一材料を使用したが、疑似接着剤層部分には、幅１０ｍｍの剥離層を１枚目基材に予め塗布しておき易剥離構造にした。
その後、１枚目基材の左端側最端部から１５ｍｍの位置に、ハーフカット線３を１枚目基材１１から粘着剤層２３までを切断するようにし、ハーフカット部６を１枚目基材と疑似接着剤層２２を切断するように入れながら、１枚目基材の両端１０ｍｍを切断し、かつ長さ３００ｍｍのシート状に裁断しながら排出した。
最後にこのシートを３０ｍｍ間隔で切断して、左端側に接着部２を有する、長さ２００ｍｍ、幅３０ｍｍの封緘用シール１０が多数枚得られた。
【００２０】
（実施例２）
幅１６０ｍｍの不織布を１枚目基材１１として使用した。なお、接着剤の塗工前に、疑似接着剤塗工部の表面に、１辺が５ｍｍの四角形状の着色部７を印刷した。
１枚目基材１１の左端部側に、最端部から５ｍｍ離れた位置から、幅３５ｍｍの強接着剤層２１と幅１５ｍｍの疑似接着剤層２２を並列して連続的に塗布した。
その際、幅５０ｍｍ、厚み１０μｍである２軸延伸ポリプロピレンフィルムを２枚目基材１２として使用し、裏面にゴム系粘着剤層２３付きの剥離紙（幅５０ｍｍ）を有する基材を用い、両基材間の位置を合わせて貼り合わせした。
強接着剤層２１と疑似接着剤層２２は、アクリル系の同一材料を使用したが、疑似接着剤層部分には、幅１５ｍｍの剥離層を１枚目基材に予め塗布しておき易剥離構造にした。
その後、前記着色部７の形状に合致するように、ハーフカット部６を１枚目基材と疑似接着剤層２２を切断するように入れた。さらにこのシートを２５ｍｍ間隔で切断して、左端側に接着部２を有する長さ１６０ｍｍ、幅２５ｍｍの封緘用シール１０が多数枚得られた。
【００２１】
実施例１、実施例２で得られた封緘用シール１０を用いて、小荷物を詰めたポリエチレン袋の首部分を封緘することに使用し、封緘用シール１０の使用済品である場合は、疑似接着部２２が損傷し、ハーフカット部６から疑似接着剤が除かれることからもその事実が確実に判定できた。
【符号の説明】
【００２２】
２    接着部
３    ハーフカット線
４    袋
４ｎ  袋の首部分
６    ハーフカット部
７    着色部
１０    封緘用シール
１１    １枚目基材
１２    ２枚目基材
１３    剥離紙
２１    強接着剤層
２２    疑似接着剤層
２３    粘着剤層
【図１】
2015011119.tif 000003
【図２】
2015011119.tif 000004
【図３】
2015011119.tif 000005
【図４】
2015011119.tif 000006